(57)【要約】【課題】本発明は、風船外部の任意の位置に発光体を配置することが可能で、かつ、加工が容易であり、装飾品としても有益な発光風船を実現し提供するものである。【解決手段】本発明の発光風船１は、光透過樹脂フィルム材からなり底部側の一部に透明部１３を設けた下部合成樹脂材１１と、樹脂フィルム材からなり光反射性及び光透過性を有する上部合成樹脂材１２との周縁を重ね合わせて熱溶着又は接着し、内部にガスが注入されて立体的に膨らむ風船本体１０と、この風船本体１０の底部に対して、透明部１３に臨ませるＬＥＤ２１を保持する状態で取り付けた略筒状の発光源保持体２０と、前記発光源保持体により保持されるＬＥＤ２１に電力供給を行う電池３２を搭載した電源部３５とを有し、前記ＬＥＤ２１から前記風船本体１０の透明部１３を経て風船本体１０内に光を照射して乱反射光と透過光とにより風船本体１０を発光状態とするものである。【選択図】図１
2011024949.tif 000002
【特許請求の範囲】
【請求項１】
下部側に位置する光透過樹脂フィルム材からなり底部側の一部に透明部を設けた下部合成樹脂材と、上部側に位置する樹脂フィルム材からなり光反射性及び光透過性を有する上部合成樹脂材との周縁を重ね合わせて熱溶着又は接着し、内部にガスが注入されて立体的に膨らむ風船本体と、
この風船本体の底部に対して、前記下部合成樹脂材の透明部の外側位置に臨ませる単数又は複数の発光源を保持する状態で取り付けた略筒状の発光源保持体と、
前記発光源保持体により保持される発光源に一端を接続した電源ケーブルの他端側に配置した前記発光源を点灯させる電力供給を行う電池を搭載した電源部と、
を有し、
前記発光源から前記風船本体の透明部を経て上部合成樹脂材に光を照射してその乱反射光と透過光とにより風船本体を発光状態とすることを特徴とする発光風船。
【請求項２】
前記下部合成樹脂材及び上部合成樹脂材は、半透明材、乳白色材、無彩色材、有彩色材の中から選定されることを特徴とする請求項１記載の発光風船。
【請求項３】
前記発光源保持体の透明部側の内面は、光反射面であることを特徴とする請求項１又は２記載の発光風船。
【請求項４】
前記発光源は、単数又は複数のＬＥＤからなり、前記電源部は、取り替え可能な電池と、電源スイッチと、前記単数又は複数ＬＥＤを点滅発光させる点滅制御回路とを具備する請求項１乃至３のいずれかに記載の発光風船。
【請求項５】
前記発光源は、異なる色で発光する複数のＬＥＤからなり、前記電源部は、取り替え可能な電池と、電源スイッチと、前記各ＬＥＤを経時的に切り換え発光させる切り換え発光制御回路とを具備し、前記下部合成樹脂材及び上部合成樹脂材は、半透明色材、乳白色材、無彩色材の中から選定されることを特徴とする請求項１乃至３のいずれかに記載の発光風船。
【請求項６】
前記発光源は、複数本の光ファイバーから構成されて、当該光ファイバーを予め風船本体の外周囲に這わせるように配置して構成したことを特徴とする請求項１乃至３のいずれかに記載の発光風船。
【請求項７】
前記発光源は、複数本の光ファイバーから構成されて、当該光ファイバーを予め風船本体の周囲にモニュメント形態で配置して構成したことを特徴とする請求項１乃至３のいずれかに記載の発光風船。
【請求項８】
下部側に位置する光透過樹脂フィルム材からなり底部側の一部に透明部を設けた下部合成樹脂材と、上部側に位置する樹脂フィルム材からなり光反射性及び光透過性を有する上部合成樹脂材との周縁を重ね合わせて熱溶着又は接着する工程と、
前記下部合成樹脂材、上部合成樹脂材内にガスを注入し、立体的に膨らませて風船本体を得る工程と、
この風船本体の底部に対して、前記下部合成樹脂材の透明部の外側位置に臨ませる単数又は複数の発光源を保持する状態で略筒状の発光源保持体を取り付ける工程と、
前記発光源を点灯させる電力供給を行う電源部と前記発光源保持体により保持される発光源とを電源ケーブルにより接続する工程と、
を含むことを特徴とする発光風船の製造方法。
【請求項９】
下部側に位置する光透過樹脂フィルム材からなり底部側の一部に透明部を設けた下部合成樹脂材と、上部側に位置する樹脂フィルム材からなり光反射性及び光透過性を有する上部合成樹脂材との周縁を重ね合わせて熱溶着又は接着し、内部にガスが注入されて立体的に膨らむ風船本体と、
この風船本体の底部に対して、前記下部合成樹脂材の透明部の外側位置に臨ませる単数又は複数の光導光材の光出射端側を保持する状態で取り付けた略筒状の光導光材保持体と、
前記光導光材保持体から外部に引き出される単数又は複数の光導光材の光入射端側を列設保持する保持部と、前記単数又は複数の光導光材の光入射端側に光を入射する発光源と、前記発光源を点灯させる電力供給を行う電池を搭載した電源部と、
を有し、
前記発光源から前記単数又は複数の光導光材、前記風船本体の透明部を経て、上部合成樹脂材に光を照射してその乱反射光と透過光とにより風船本体を発光状態とすることを特徴とする発光風船。
【請求項１０】
前記下部合成樹脂材及び上部合成樹脂材は、半透明材、乳白色材、無彩色材、有彩色材の中から選定されることを特徴とする請求項９記載の発光風船。
【請求項１１】
前記光導光材保持体の透明部側の内面は、光反射面であることを特徴とする請求項９又は１０記載の発光風船。
【請求項１２】
前記光導光材は、光ファイバー、透明棒状体、半透明棒状体から選定されることを特徴とする請求項９乃至１１のいずれかに記載の発光風船。
【請求項１３】
前記発光源は、ＬＥＤからなり、前記電源部は、取り替え可能な電池と、電源スイッチと、前記ＬＥＤを点滅発光させる点滅制御回路とを具備することを特徴とする請求項９乃至１２のいずれかに記載の発光風船。
【請求項１４】
前記発光源は、異なる色で発光する複数のＬＥＤからなり、前記光導光材は、光ファイバー、透明棒状体、半透明棒状体から選定され、かつ、前記発光源の個数に対応する本数からなり、前記電源部は、取り替え可能な電池と、電源スイッチと、前記各ＬＥＤを経時的に切り換え発光させる切り換え発光制御回路とを具備し、前記下部合成樹脂材及び上部合成樹脂材は半透明色材、乳白色材、無彩色材の中から選定されることを特徴とする請求項９乃至１２のいずれかに記載の発光風船。
【請求項１５】
前記発光源は、複数本の光ファイバーから構成されて、当該光ファイバーを予め風船本体の外周囲に這わせるように配置して構成したことを特徴とする請求項９乃至１２のいずれかに記載の発光風船。
【請求項１６】
前記発光源は、複数本の光ファイバーから構成されて、当該光ファイバーを予め風船本体の周囲にモニュメント形態で配置して構成したことを特徴とする請求項９乃至１２のいずれかに記載の発光風船。
【請求項１７】
下部側に位置する光透過樹脂フィルム材からなり底部側の一部に透明部を設けた下部合成樹脂材と、上部側に位置する樹脂フィルム材からなり光反射性及び光透過性を有する上部合成樹脂材との周縁を重ね合わせて熱溶着又は接着する工程と、
前記下部合成樹脂材、上部合成樹脂材内にガスを注入し、立体的に膨らませて風船本体を得る工程と、
この風船本体の底部に対して、前記下部合成樹脂材の透明部の外側位置に臨ませる単数又は複数の光導光材の光出射端側を保持する状態で略筒状の光導光材保持体を取り付ける工程と、
前記光導光材の光入射端側を列設保持する保持部と、前記単数又は複数の光導光材の光入射端側に光を入射する発光源と、前記発光源を点灯させる電力供給を行う電池を搭載した電源部を、単数又は複数の光導光材を介して接続する工程と、
を含むことを特徴とする発光風船の製造方法。
【請求項１８】
下部側に位置する光透過樹脂フィルム材からなる下部合成樹脂材と、上部側に位置する樹脂フィルム材からなる上部合成樹脂材との周縁を重ね合わせて熱溶着又は接着し、内部にガスが注入されて立体的に膨らむ風船本体と、
この風船本体の外周部に添着配置した単数又は複数の透明発光材又は半透明発光材と、
前記風船本体の底部に取り付けられるとともに、前記透明発光材又は半透明発光材の一端に光出射端側を臨ませた単数又は複数の光導光材を保持する略筒状の光導光材保持体と、
前記光導光材保持体から外部に引き出される単数又は複数の光導光材の光入射端側を列設保持する保持部と、前記単数又は複数の光導光材の光入射端側に光を入射する発光源と、前記発光源を点灯させる電力供給を行う電池を搭載した電源部と、
を有し、
前記発光源から前記単数又は複数の光導光材を介して風船本体の外周部に添着配置した単数又は複数の透明発光材又は半透明発光材に光を入射し、これらを風船本体の外周部において発光させることを特徴とする発光風船。
【請求項１９】
前記発光源は、複数本の光ファイバーから構成されて、当該光ファイバーを予め風船本体の外周囲に這わせるように配置して構成したことを特徴とする請求項１８記載の発光風船。
【請求項２０】
前記発光源は、複数本の光ファイバーから構成されて、当該光ファイバーを予め風船本体の周囲にモニュメント形態で配置して構成したことを特徴とする請求項１８記載の発光風船。
【発明の詳細な説明】
【技術分野】
【０００１】
本発明は、風船外部の任意の位置に発光体を配置することが可能で、かつ、加工が容易であり、装飾品としても有益な発光風船及びその製造方法に関し、詳しくは、風船の外部に発光源を配置して風船内部で反射させて外方に向けて光を射出するようにし、ガスを注入して空気中又は空間に浮遊するようにした発光風船及び該発光風船の製造方法に関するものである。
【背景技術】
【０００２】
夜店やテーマパーク等で販売したり、あるいは赤色、黄色等、各種の色の光を外方に向けた射出する風船本体を集めてイベント会場等に飾り付けることにより、装飾品として高い装飾効果を得ることを目的とした発光風船は従来においても種々存在している。
【０００３】
このような発光風船として、例えば特許文献１には風船本体と、その内側に配置した袋体との二重構造を有し、風船本体と袋体との間にガスを注入し、袋体の内部に複数の発光ダイオードを配置して、風船全体を明るく発光させるように構成した発光風船が提案されている。
【０００４】
また、特許文献２には、２枚の合成樹脂フィルムを重ね合わせて周縁を熱溶着又は接着し、内部にガスが注入されて膨らむ本体部と、本体部の内部に取り付けられた発光体保持袋と、発光体保持袋の内部に装入された発光ダイオードとを備え、風船内部の任意の位置に発光体を配置し得るように構成した発光風船が提案されている。
【０００５】
しかし、上記特許文献１、２に開示発光風船は、いずれも発光体（発光ダイオード）を風船本体内に配置する構成を採用するものであり、そのために、発光体を風船本体内の中央部分で光らせることはできるが、発光体を外側から風船本体内に挿入しなければならず、風船本体に対して気密的に取り付ける必要があり、加工が難しいという問題を包含している。
【先行技術文献】
【特許文献】
【０００６】
【特許文献１】特開２００７−０２５０８０号公報
【特許文献２】特開２００８−１２５７１８号公報
【発明の概要】
【発明が解決しようとする課題】
【０００７】
本発明は、上記従来の課題を解決するためのものであり、ガスを注入して空気中又は空間に浮遊するようにした風船外部の任意の位置に発光体を配置することが可能で、かつ、加工が容易な発光風船及びその製造方法を実現し提供することを目的とするものである。
【課題を解決するための手段】
【０００８】
本発明の発光風船は、ガスを注入して空気中又は空間に浮遊するようにした発光風船で、下部側に位置する光透過樹脂フィルム材からなり底部側の一部に透明部を設けた下部合成樹脂材と、上部側に位置する樹脂フィルム材からなり光反射性及び光透過性を有する上部合成樹脂材との周縁を重ね合わせて熱溶着又は接着し、内部にガスが注入されて立体的に膨らむ風船本体と、この風船本体の底部に対して、前記下部合成樹脂材の透明部の外側位置に臨ませる単数又は複数の発光源を保持する状態で取り付けた略筒状の発光源保持体と、前記発光源保持体により保持される発光源に一端を接続した電源ケーブルの他端側に配置した前記発光源を点灯させる電力供給を行う電池を搭載した電源部と、を有し、前記発光源から前記風船本体の透明部を経て上部合成樹脂材に光を照射してその乱反射光と透過光とにより風船本体を発光状態とすることを最も主要な特徴とする。
【発明の効果】
【０００９】
請求項１乃至７記載の発明によれば、ガスを注入して空気中又は空間に浮遊するようにした発光風船で、風船本体外部の任意の位置に発光体を配置する構成の基に発光風船全体を発光させることができ、イベント会場等において装飾品として高い装飾効果を発揮させることができる発光風船を実現し提供できる。
【００１０】
この場合、下部合成樹脂材及び上部合成樹脂材を、半透明材、乳白色材、無彩色材、有彩色材の中から選定したり、発光源保持体の透明部側の内面を光反射面とすることで発光風船全体を一層効果的に発光させることができる。
【００１１】
また、電源部に点滅制御回路を採用したり、切り換え発光制御回路を採用することにより、発光風船全体を発光態様を多様化でき、一層優れた装飾効果を発揮させることができる発光風船を実現し提供できる。
【００１２】
請求項８記載の発明によれば、ガスを注入して空気中又は空間に浮遊するようにした発光風船で、風船本体の外部の任意の位置に発光体を配置することが可能で、風船本体内に発光体を気密的に取り付けることが不要となり、製造工程の簡略化を実現でき、しかも、上述したような装飾品として高い装飾効果を発揮させることができる発光風船を得ることが可能な発光風船の製造方法を実現し提供できる。
【００１３】
請求項９乃至１６記載の発明によれば、ガスを注入して空気中又は空間に浮遊するようにした発光風船で、電源部に設けた発光体の光を風船本体外部の任意の位置に臨ませた光導光材を経て風船本体内に入射する構成の基に発光風船全体を発光させることができ、イベント会場等において装飾品として高い装飾効果を発揮させることができる発光風船を実現し提供できる。
【００１４】
この場合に、下部合成樹脂材及び上部合成樹脂材を、半透明材、乳白色材、無彩色材、有彩色材の中から選定したり、発光源保持体の透明部側の内面を光反射面とすることで発光風船全体を一層効果的に発光させることができる。
【００１５】
また、電源部に点滅制御回路を採用したり、切り換え発光制御回路を採用することにより、発光風船全体を発光態様を多様化でき、一層優れた装飾効果を発揮させることができる発光風船を実現し提供できる。
【００１６】
請求項１７記載の発明によれば、ガスを注入して空気中又は空間に浮遊するようにした発光風船で、風船本体の外部の任意の位置に発光体を配置し、光導光材を介して風船本体の近傍に光を導き、風船本体内に入射することが可能で、風船本体内に発光体を気密的に取り付けることが不要となり、製造工程の簡略化を実現でき、しかも、上述したような装飾品として高い装飾効果を発揮させることができる発光風船を得ることが可能な発光風船の製造方法を実現し提供できる。
【００１７】
請求項１８乃至２０記載の発明によれば、ガスを注入して空気中又は空間に浮遊するようにした発光風船で、電源部に設けた発光体の光を風船本体外部の任意の位置に臨ませた光導光材を経て風船本体に導きその外周の透明発光材に入射することで、風船本体の外周を発光させることができ、請求項７記載の発明の場合と同様に、イベント会場等において装飾品として高い装飾効果を発揮させることができる発光風船を提起用できる。
【図面の簡単な説明】
【００１８】
【図１】図１は、本発明の実施例１に係る発光風船を概念的に示す概略斜視図である。
【図２】図２は、本実施例１に係る発光風船の一部を断面として示す全体構成図である。
【図３】図３は、本実施例１に係る発光風船の電源部の他例を示す概略ブロック図である。
【図４】図４は、本実施例２に係る発光風船を概念的に示す概略斜視図である。
【図５】図５は、本実施例２に係る発光風船の一部を断面として示す全体構成図である。
【図６】図６は、本実施例２に係る発光風船の電源部の他例を示す概略ブロック図である。
【図７】図７は、本実施例２に係る発光風船の電源部の他例を示す概略ブロック図である。
【図８】図８は、本実施例２に係る発光風船の変形例を概念的に示す概略斜視図である。
【図９】図９は、本実施例２に係る発光風船の他の変形例を概念的に示す概略斜視図である。
【図１０】図１０は、本実施例２に係る発光風船の他の変形例を概念的に示す概略斜視図である。
【発明を実施するための形態】
【００１９】
本発明は、風船外部の任意の位置に発光体を配置することが可能で、かつ、加工が容易であり、装飾品としても有益な発光風船を実現し提供するという目的を、下部側に位置する光透過樹脂フィルム材からなり底部側の一部に透明部を設けた下部合成樹脂材と、上部側に位置する樹脂フィルム材からなり光反射性及び光透過性を有する上部合成樹脂材との周縁を重ね合わせて熱溶着又は接着し、内部にガスが注入されて立体的に膨らむ風船本体と、この風船本体の底部に対して、前記下部合成樹脂材の透明部の外側位置に臨ませる単数又は複数のＬＥＤを保持する状態で取り付けた略筒状の発光源保持体と、前記発光源保持体により保持されるＬＥＤに一端を接続した電源ケーブルの他端側に配置した前記ＬＥＤを点灯させる電力供給を行う電池を搭載した電源部とを有し、前記発光源から前記風船本体の透明部を経て上部合成樹脂材に光を照射してその乱反射光と透過光とにより風船本体を発光状態とする構成により実現した。
【実施例１】
【００２０】
以下に、本発明の実施例１に係る発光風船１について図面を参照して詳細に説明する。
【００２１】
本実施例１に係る発光風船１は、図１、図２に示すように、略球状又は略楕円球状の風船本体１０と、この風船本体１０の底部に取り付けた略筒状の発光源保持体２０と、この発光源保持体２０と電源ケーブル３１を介して接続される電源部３０と、を有している。
【００２２】
前記風船本体１０は、下部側に位置する光透過樹脂フィルム材からなり底部側の一部である中央底部に透明部１３を設けた膨出状態で略半球状又は略半楕円球状を呈する下部合成樹脂材１１と、上部側に位置する樹脂フィルム材からなり、膨出状態で略半球状又は略半楕円球状を呈する上部合成樹脂材１２と、前記風船本体１０に取り付けたガス注入及びガス封止用のガス栓１４とを具備している。
【００２３】
そして、前記下部合成樹脂材１１、上部合成樹脂材１２の周縁を互いに重ね合わせて熱溶着又は接着し周縁を封止するとともに、ガス栓１４から内部にガスを注入しガス栓を閉めることで立体的に膨らみ、全体として略球状又は略楕円球状を呈するように構成している。
【００２４】
前記下部合成樹脂材１１の一部である中央底部には、透明樹脂フィルム材からなる透明部１３を下部合成樹脂材１１と一体的に設けている。
【００２５】
また、前記下部合成樹脂材１１及び上部合成樹脂材１２の素材は、半透明材、乳白色材、灰色のような無彩色材、赤色、青色、黄色等の有彩色を呈する有彩色材の中から選定されるようになっている。
【００２６】
更に、前記上部合成樹脂材１２の内面１２ａは、光反射性及び光透過性の双方を有する構造としている。
【００２７】
前記発光源保持体２０は、図１、図２に示すように、前記風船本体１０の底部側が大径で下端側が小径の全体として略筒状に形成され、前記風船本体１０の底部に対して、前記下部合成樹脂材１１の透明部１３の外側位置に臨ませる単数又は複数（図１では３個）の発光源であるＬＥＤ（発光ダイオード）２１を内部に保持する状態で接着等により取り付けている。
【００２８】
また、前記発光源保持体２０の透明部１３側の内面２０ａも、光反射面として形成している。
【００２９】
前記電源部３０は、図２に示すように、電源部筺体３５に、取り替え可能な電池（乾電池又は蓄電池）３２と、電源スイッチ３３と、前記単数又は複数のＬＥＤ２１を点滅発光させる又は連続発光させる点滅制御回路３４とを搭載し、この点滅制御回路３４と前記発光源保持体２０内のＬＥＤ２１とを電源ケーブル３１により接続している。この場合、ＬＥＤ２１と点滅制御回路３４に関しては、点滅制御回路３４をＬＥＤ２１に内蔵して構成しても良い。
【００３０】
次に、本実施例１に係る発光風船１の作用、効果について説明する。
【００３１】
この発光風船１によれば、ガスを注入して空気中又は空間に浮遊するようにした発光風船でありながら、電源スイッチ３３をオンにし、点滅制御回路３４を動作させて、前記各ＬＥＤ２１を点滅発光させることによって、各ＬＥＤ２１からの光は前記風船本体１０の透明部１３を経て上部合成樹脂材１２に点滅状態で照射される。
【００３２】
上部合成樹脂材１２の内面１２ａからの乱反射光は、光透過樹脂フィルム材からなる下部合成樹脂材１１から外部に点滅状態で射出する。
【００３３】
このとき、前記発光源保持体２０の透明部１３側の内面２０ａをも光反射面としているので、下部合成樹脂材１１から外部に射出する光の光量を増大させて一層明るくすることができる。また、前記上部合成樹脂材１２を透過した光はその外部に点滅状態で射出する。
【００３４】
これにより、発光風船１全体が点滅状態で発光することになって、例えば、イベント会場等において装飾品として高い装飾効果を発揮させることができる。
【００３５】
なお、点滅制御回路３４の設定を変更し、点滅無しで連続発光させる構成とすることももちろん可能である。
【００３６】
また、上述した構成に換えて、前記発光源保持体２０に異なる色で発光する複数のＬＥＤ２１を配置し、前記電源部３０において、図３に示すように、点滅制御回路３４に換えて前記各ＬＥＤ２１を経時的に切り換え発光させる切り換え発光制御回路３６を設け、更に、前記下部合成樹脂材１１及び上部合成樹脂材１２を、半透明色材、乳白色材、無彩色材の中から選定される構造とすることもできる。
【００３７】
この場合には、発光風船１全体が経時的に異なる色で発光することになって、やはりイベント会場等において装飾品として高い装飾効果を発揮させることができる。
【００３８】
上述した本実施例１に係る発光風船１を製造する方法は、以下通りである。
【００３９】
すなわち、まず、下部側に位置する光透過樹脂フィルム材からなり底部側の一部に透明部１３を設けた下部合成樹脂材１１と、上部側に位置する樹脂フィルム材からなり光反射性及び光透過性を有する上部合成樹脂材１２との周縁を重ね合わせて熱溶着又は接着する。
【００４０】
次に、前記ガス栓１４から前記下部合成樹脂材１１、上部合成樹脂材１２内にガスを注入しガス栓１４を閉めることで立体的に膨らませ、風船本体１０を作成する。
【００４１】
次に、風船本体１０の底部に対して、前記下部合成樹脂材１１の透明部１３の外側位置に臨ませる単数又は複数のＬＥＤ２１を保持する状態で発光源保持体２０を取り付ける。
【００４２】
そして、前記ＬＥＤ２１を点灯させる電力供給を行う電源部３０と、前記発光源保持体により保持されるＬＥＤ２１とを電源ケーブル３１により接続する。
【００４３】
本実施例１に係る発光風船１の製造方法によれば、風船本体１０の外部の任意の位置にＬＥＤ２１を配置することが可能で、風船本体１０内にＬＥＤ２１を気密的に取り付けることが不要となり、これにより、製造工程の簡略化を実現でき、しかも、上述したような装飾品として一層高い装飾効果を発揮させることができる発光風船１を得ることが可能となる。
【００４４】
上述した実施例１において、ガス栓１４の一端（風船本体内部側）を袋状とし、その中にＬＥＤ２１を入れた構成とすることもできる。この場合、ガス栓１４とは別にＬＥＤ２１を風船本体１０の中に入れる袋状のものを設けることになる。
【実施例２】
【００４５】
次に、本発明の実施例２に係る発光風船１Ａについて、図４乃至図８を参照して説明する。
【００４６】
なお、本実施例２に係る発光風船１Ａにおいて、実施例１に係る発光風船１と同一要素には同一符号を付し、その詳細説明は省略する。
【００４７】
本実施例２に係る発光風船１Ａは、基本的には実施例１に係る発光風船１と同様な構成であるが、図４、図５に示すように、前記発光源保持体２０に換えて、前記下部合成樹脂材１１の透明部１３の外側位置に臨ませる単数又は複数の光導光材である例えば光ファイバー４１の光出射端側を保持する状態で取り付けた略筒状の光導光材保持体４０を採用したこと、及び、前記光導光材保持体４０から外部に引き出される単数又は複数の光ファイバー４１の光入射端側を列設保持する保持部４２と、前記光ファイバー４１の光入射端側に光を入射する発光源であるＬＥＤ４３と、前記ＬＥＤ４３を点灯させる電力供給を行う取り替え可能な電池４４と、電源スイッチ４５と、を電源部筺体４９に搭載した電源部４６を採用したこと、が特徴である。
【００４８】
前記光導光材としては、前記光ファイバー４１の他に、例えば、アクリル材からなる透明棒状体又は半透明棒状体等を採用することができる。更に、前記光導光材としては、ポリカーボネイト（ＰＣ）やペット（ＰＥＴ）のような透明材又は半透明材が作れるような材料を採用することもできる。
【００４９】
前記下部合成樹脂材１１及び上部合成樹脂材１２は、半透明材、乳白色材、無彩色材や有彩色材の中から選定されることは、実施例１の場合同様である。
【００５０】
また、光導光材保持体４０の透明部１３側の内面４０ａは光反射面として形成している。
【００５１】
本実施例２に係る発光風船１Ａによれば、ガスを注入して空気中又は空間に浮遊するようにした発光風船でありながら、電源スイッチ４４をオンすることで、ＬＥＤ４３が点灯し、前記光ファイバー４１の光入射端、光出射端を経て、前記風船本体１０の透明部１３から上部合成樹脂材１２に照射される。
【００５２】
上部合成樹脂材１２の内面１２ａからの乱反射光は、光透過樹脂フィルム材からなる下部合成樹脂材１１から外部に射出する。
【００５３】
このとき、前記光導光材保持体４０の透明部１３側の内面４０ａをも光反射面としているので、下部合成樹脂材１１から外部に射出する光の光量を増大させて一層明るくすることができる。また、前記上部合成樹脂材１２を透過した光はその外部に射出する。
【００５４】
これにより、発光風船１全体が発光することになって、例えば、イベント会場等において装飾品として一層高い装飾効果を発揮させることができる。
【００５５】
図６は、前記電源部４６の変形例である点滅駆動型の電源部４６Ａを示すもので、前記電源部４６の構成に、点滅制御回路４７を付加し、発光風船１Ａ全体が点滅状態で発光させるようにしたものである。この場合も、例えば、イベント会場等において装飾品として高い装飾効果を発揮させることができる。
【００５６】
また、図７は、前記電源部４６の変形例である点滅駆動型の電源部４６Ｂを示すものであり、前記電源部４６の構成に換えて、異なる色で発光する複数（赤色ＬＥＤ、青色ＬＥＤ、黄色ＬＥＤ等）のＬＥＤ４３ａ乃至４３ｅを設けるとともに、切り換え発光制御回路４８を付加し継時的に発光を切り換える構成としたものである。
【００５７】
この場合に、前記下部合成樹脂材１１及び前記上部合成樹脂材１２を、半透明色材、乳白色材、無彩色材の中から選定する構成とすることにより、前記発光風船１Ａ全体が経時的に異なる色で発光することになって、やはりイベント会場等において装飾品として高い装飾効果を発揮させることができる。
【００５８】
上述した本実施例２に係る発光風船１Ａを製造する方法は、以下通りである。
【００５９】
すなわち、まず、下部側に位置する光透過樹脂フィルム材からなり底部側の一部に透明部１３を設けた下部合成樹脂材１１と、上部側に位置する樹脂フィルム材からなり光反射性及び光透過性を有する上部合成樹脂材１２との周縁を重ね合わせて熱溶着又は接着する。
【００６０】
次に、前記ガス栓１４から前記下部合成樹脂材１１、上部合成樹脂材１２内にガスを注入しガス栓１４を閉めることで立体的に膨らませ、風船本体１０を作成する。
【００６１】
次に、この風船本体の底部に対して、下部合成樹脂材１１の透明部１３の外側位置に臨ませる単数又は複数のＬＥＤ４３の光出射端側を保持する状態で略筒状の光導光材保持体４０を取り付ける。
【００６２】
次に、前記光ファイバー４１の光入射端側を列設保持する保持部４２と、前記前記光ファイバー４１の光入射端側に光を入射するＬＥＤ４３と、前記ＬＥＤ４３を点灯させる電力供給を行う電池４４と、電源スイッチ４５とを搭載した電源部４６を、前記単数又は複数の光ファイバー４１を介して接続する。
【００６３】
本実施例２に係る発光風船１Ａの製造方法によれば、風船本体１０の外部の任意の位置にＬＥＤ４３を配置し、光ファイバー４１を介して風船本体１０の近傍に光を導き、風船本体１０内に入射することが可能で、風船本体１０内にＬＥＤ４３を気密的に取り付けることが不要となり、これにより、製造工程の簡略化を実現でき、しかも、上述したような装飾品として高い装飾効果を発揮させることができる発光風船１Ａを得ることが可能となる。
【００６４】
図８は、本実施例２に係る発光風船１Ａの変形例である発光風船１Ｂを示すもので、この発光風船１Ｂは、基本的には前記発光風船１Ａと略同様な構成であるが、風船本体１０の外周部に、例えばアクリル材等からなる柔軟性を有する透明発光材（又は半透明発光材）５１を単数又は複数添着配置したことが特徴である。
【００６５】
そして、前記光導光材保持体４０が保持する光ファイバー４１の光出射端側から、各透明発光材５１に光を入射し、これらを風船本体１０の外周部において発光させるように構成したものである。
【００６６】
かかる構成の発光風船１Ｂによれば、風船本体１０の外周が発光することになって、例えば、イベント会場等において既述した場合と同様に装飾品として高い装飾効果を発揮させることができる。
【００６７】
なお、上述した各実施例において、ＬＥＤ２１、４３の配置個数や、光ファイバー４１の設置個数は特に限定されるものではない。
【００６８】
図９、図１０は、実施例２に示す図４、図５、図８の実施例の変形例を示すもので、図９は、前記発光源である光導光材を複数本の光ファイバー４１から構成し、当該光ファイバー４１を予め風船本体１０の外周囲に這わせるように配置して構成した実施例を示す発光風船１Ｃであり、図１０は、前記発光源である光導光材を複数本の光ファイバーから構成し、当該光ファイバー４１を予め風船本体１０の周囲にモニュメント形態４１に形成して配置、構成した実施例を示す発光風船１Ｄである。なお、図９、図１０の実施例は、発光源である光導光材を複数本の光ファイバー４１から構成し、当該光ファイバー４１と風船本体１０への配置構成以外の部分は、前記各実施例と同様の各部を具備する。
図９、図１０の実施例に係る発光風船１Ｃ、発光風船１Ｄによれば、ガスを注入して空気中又は空間に浮遊するようにした発光風船で、風船本体１０の周囲に配置した複数本の光ファイバー４１を基に発光風船全体を発光させることができ、イベント会場等において装飾品として高い装飾効果を発揮させることができる発光風船を実現し提供できる。
【００６９】
また、上述した実施例において電源部筺体３５の電池収容部を電池カバー及びパイプ等への取着部から構成したり、電池カバー内の電池３２を取り替え得る構造としたり又は固定式のものとすることができる。
【００７０】
つまり、くり返し使用するタイプとするのか、使い捨てタイプとするのかは、目的や用途によって適宜定めることができる。
【００７１】
また、前記電源スイッチ３３は、電線と電線、電線と電池、電池と電池を接触又は非接触させる等多くの種類があり構造は特に限定するものではない。
【産業上の利用可能性】
【００７２】
本発明の発光風船は、夜店やテーマパーク、都市部や田舎の祭会場、遊園地、店舗のオープニング場所、その他多くの人が集合する場所に設置する装飾品として極めて広範に適用可能である。
【符号の説明】
【００７３】
１    発光風船
１Ａ  発光風船
１Ｂ  発光風船
１０    風船本体
１１    下部合成樹脂材
１２    上部合成樹脂材
１２ａ  内面
１３    透明部
１４    ガス栓
２０    発光源保持体
２０ａ  内面
２１    ＬＥＤ
３０    電源部
３１    電源ケーブル
３２    電池
３３    電源スイッチ
３４    点滅制御回路
３５    電源部筺体
３６    切り換え発光制御回路
４０    光導光材保持体
４０ａ  内面
４１    光ファイバー
４２    保持部
４３    ＬＥＤ
４３ａ  ＬＥＤ
４４    電池
４５    電源スイッチ
４６    電源部
４６Ａ  電源部
４６Ｂ  電源部
４７    点滅制御回路
４８    切り換え発光制御回路
４９    電源部筺体
５１    透明発光材
【図１】
2011024949.tif 000003
【図２】
2011024949.tif 000004
【図３】
2011024949.tif 000005
【図４】
2011024949.tif 000006
【図５】
2011024949.tif 000007
【図６】
2011024949.tif 000008
【図７】
2011024949.tif 000009
【図８】
2011024949.tif 000010
【図９】
2011024949.tif 000011
【図１０】
2011024949.tif 000012